(57)【特許請求の範囲】
【請求項１】
無線回路の給電部と電気的に接続される給電点が設けられ導体で形成された第１のグランド領域と、
該第１のグランド領域の外周の一部を除いて該外周に沿って導体で形成された第２のグランド領域と、
前記第１のグランド領域と前記第２のグランド領域との間の境界と、
前記給電点に電気的に接続され前記第１のグランド領域上に立設された線材で形成されたアンテナエレメントと、
前記第１のグランド領域と前記第２のグランド領域とを局所的に電気的に接続し、前記局所的な接続位置に応じて前記アンテナエレメント、前記第１のグランド領域及び前記第２のグランド領域に流れる高周波電流が調整され主偏波が変わるグランド接続部と、を備え、
前記アンテナエレメントが、前記第１のグランド領域から立ち上がる立ち上げ部と、該立ち上げ部の上端部から前記第２のグランド領域の直上へ延びるエレメント部と、を備えていることを特徴とするアンテナ装置。
【請求項２】
請求項１に記載のアンテナ装置において、
前記第１のグランド領域と前記第２のグランド領域とに分断されたグランドパターンが設けられた基材を備えていることを特徴とするアンテナ装置。
【請求項３】
請求項１に記載のアンテナ装置において、
前記第１のグランド領域が設けられた第１の基材と、
前記第２のグランド領域が設けられた第２の基材と、を備え、
前記第１の基材と前記第２の基材とが前記境界を挟んで設置されていることを特徴とするアンテナ装置。
【請求項４】
請求項１から３のいずれか一項に記載のアンテナ装置において、
前記境界が、少なくとも１箇所で前記第１のグランド領域及び前記第２のグランド領域の上方からの平面視で前記エレメント部に対して直交していることを特徴とするアンテナ装置。
【請求項５】
請求項１から４のいずれか一項に記載のアンテナ装置において、
前記境界が、前記給電点の近傍で前記第１のグランド領域と前記第２のグランド領域とを分断していることを特徴とするアンテナ装置。
【請求項６】
請求項１から５のいずれか一項に記載のアンテナ装置において、
前記グランド接続部が、前記給電点の近傍位置に設けられていることを特徴とするアンテナ装置。
【請求項７】
請求項１から５のいずれか一項に記載のアンテナ装置において、
前記グランド接続部が、前記給電点から最も離れた遠方位置に設けられていることを特徴とするアンテナ装置。
【請求項８】
請求項１から５のいずれか一項に記載のアンテナ装置において、
前記グランド接続部が、前記境界の中間位置に設けられていることを特徴とするアンテナ装置。
【発明の詳細な説明】
【技術分野】
【０００１】
本発明は、自動車のキーレスオペレーションシステム等の無線通信技術に好適なアンテナ装置に関する。
【背景技術】
【０００２】
近年、自動車のキーレスオペレーションシステム等の無線通信を目的として、線状素子を利用したアンテナ装置が検討されている。線状素子を用いたアンテナ装置としては、従来、地板に対してアンテナ動作波長の１／４の長さでワイヤエレメントが配置されたモノポールアンテナが一般的に用いられている。しかしながら、このモノポールアンテナは、アンテナ全体が大きくて高いため、このモノポールアンテナを途中で折り曲げて小型化・低背化した逆Ｌ型アンテナが開発されている。
【０００３】
さらに、この逆Ｌ型アンテナでは、地板と平行となるアンテナエレメントの水平部分の長さで決まるリアクタンス部が容量性であって大きい値となるために、５０Ωの給電線に対して整合を取るのが困難であった。このため、従来、アンテナエレメントと５０Ωの給電線との整合を容易にするために、いわゆる逆Ｆ型アンテナが考案されている。この逆Ｆ型アンテナは、アンテナエレメントの途中に設けられた給電点の近くに地板と放射素子とを接続するスタブを設けたものである。これにより、リアクタンス部による容量性を打ち消して５０Ωの給電線との整合を取ることが容易となる。例えば、特許文献１には、折りたたみ式携帯型無線機器に適用されるものであるが、印刷配線基板上に配置され印刷配線基板に接続されたフレキシブルフラットケーブルと直交するように折り曲げたアンテナ素子を有する逆Ｆ型アンテナが提案されている。この逆Ｆ型アンテナでは、アンテナ素子を印刷配線基板に対して垂直方向にも折り返している。
【先行技術文献】
【特許文献】
【０００４】
【特許文献１】特開２００６−１９７５２８号公報
【発明の概要】
【発明が解決しようとする課題】
【０００５】
しかしながら、上記従来の技術においても、以下の課題が残されている。
すなわち、従来のアンテナでは、様々な設置条件に変更しようとした場合、アンテナの偏波（垂直／水平偏波）は、使用条件で必要とされる主偏波に対して設計されてこれに依存するため、同一のアンテナ形状では偏波改善の対応が困難であった。このため、偏波を改善するためにアンテナ形状を設計変更する方法が考えられるが、筐体の大きさに依存するため設計変更にも限界があると共に金型作製等のコスト面からも困難な場合が多い。そのため、金属板を設置して強制的に偏波を変更する方法等も考えられるが、指向性が限られ、アンテナ特性が劣化してしまい、容易に偏波を改善することが困難であるという不都合があった。
また、上記特許文献１に記載の技術の場合、素子の長さや幅をフレキシブルケーブルに対して折り曲げることで特性を改善しているが、特性の改善は周辺環境に依存するため、偏波や指向性を向上させることができず、小型化や薄型化も困難である。以上の観点から、従来技術において設置条件を変更した場合、同一のアンテナ、基板、筐体にて偏波を改善し、高利得化、小型化、薄型化は困難であるという不都合があった。
【０００６】
本発明は、前述の課題に鑑みてなされたもので、設置条件を変更した場合でも、同一のアンテナや基板等にて偏波を改善し、高利得化及び小型化等を図ることができるアンテナ装置を提供することを目的とする。
【課題を解決するための手段】
【０００７】
本発明は、前記課題を解決するために以下の構成を採用した。すなわち、本発明のアンテナ装置は、無線回路の給電部と電気的に接続される給電点が設けられ導体で形成された第１のグランド領域と、該第１のグランド領域の外周の一部を除いて該外周に沿って導体で形成された第２のグランド領域と、前記第１のグランド領域と前記第２のグランド領域との間の境界と、前記給電点に電気的に接続され前記第１のグランド領域上に立設されたアンテナエレメントと、前記第１のグランド領域と前記第２のグランド領域とを局所的に電気的に接続するグランド接続部と、を備え、前記アンテナエレメントが、前記第１のグランド領域から立ち上がる立ち上げ部と、該立ち上げ部の上端部から前記第２のグランド領域の直上へ延びるエレメント部と、を備えていることを特徴とする。
【０００８】
このアンテナ装置では、第１のグランド領域と第２のグランド領域とを局所的に電気的に接続するグランド接続部を備え、アンテナエレメントが、第１のグランド領域から立ち上がる立ち上げ部と、該立ち上げ部の上端部から第２のグランド領域の直上へ延びるエレメント部と、を備えているので、局所的な接続位置に応じてアンテナエレメント、第１のグランド領域及び第２のグランド領域に流れる高周波電流（電流分布）を調整可能で、アンテナ全体の偏波を改善することができる。つまり、複数に分断されたグランド領域を設け、その接続位置とアンテナエレメントとの配置関係から、アンテナエレメントを変更することなく、所望の偏波に対して特性を改善することが可能になる。
なお、上記「境界」とは、第１のグランド領域と第２のグランド領域とが電気的に接続されていない（電気的に分断されている）部分を示すものである。すなわち、この「境界」は、第１のグランド領域の導体と第２のグランド領域の導体とが互いに繋がっていない領域や空間であって、第１のグランド領域と第２のグランド領域との間に介在する電気的な絶縁範囲を指す。
また、上記「局所的に電気的に接続するグランド接続部」を備えているとは、「境界」を乗り越えて第１のグランド領域と第２のグランド領域とを電気的に接続している箇所（グランド接続部）が存在することを指す。
【０００９】
また、本発明のアンテナ装置では、前記第１のグランド領域と前記第２のグランド領域とに分断されたグランドパターンが設けられた基材を備えていることを特徴とする。
本来、基材に設けられたグランドパターンは、アンテナ利得向上の観点から、サイズを大きく、一体化されることが多い。そこで、本発明では、アンテナエレメントに対して基材のグランドパターンを効率よく分断するための境界を設け、アンテナエレメント及びグランドパターンに流れる高周波電流を調整するために、効率の良い接続方法にすることで、アンテナ全体の偏波を改善することができる。
【００１０】
また、本発明のアンテナ装置では、前記第１のグランド領域が設けられた第１の基材と、前記第２のグランド領域が設けられた第２の基材と、を備え、前記第１の基材と前記第２の基材とが前記境界を挟んで設置されていることを特徴とする。
すなわち、このアンテナ装置では、第１の基材と第２の基材とが境界を挟んで設置されているので、第１のグランド領域と第２のグランド領域とを別々の基材に設けることで一方を容易に別の形状のものと交換して設置することが可能になる。例えば、一方を汎用の基材とし、他方を取り換え用の基材とすることで、多様な形態を容易に採用することが可能になる。
【００１１】
また、本発明のアンテナ装置では、前記境界が、少なくとも１箇所で前記第１のグランド領域及び前記第２のグランド領域の上方からの平面視で前記エレメント部に対して直交していることを特徴とする。すなわち、このアンテナ装置では、境界が、少なくとも１箇所で第１のグランド領域及び第２のグランド領域の上方からの平面視でエレメント部に対して直交しているので、最も効果的に電流分布の調整が可能になる。
【００１２】
また、本発明のアンテナ装置では、前記境界が、前記給電点の近傍で前記第１のグランド領域と前記第２のグランド領域とを分断していることを特徴とする。すなわち、このアンテナ装置では、境界が、給電点の近傍で第１のグランド領域と第２のグランド領域とを分断しているので、より強く電流分布を調整することが可能になる。
【００１３】
また、本発明のアンテナ装置では、前記グランド接続部が、前記給電点の近傍位置に設けられていることを特徴とする。すなわち、このアンテナ装置では、グランド接続部が、給電点の近傍位置に設けられているので、主偏波を水平偏波とする場合、より強く水平偏波の改善効果を得ることができる。
【００１４】
また、本発明のアンテナ装置では、前記グランド接続部が、前記給電点から最も離れた遠方位置に設けられていることを特徴とする。すなわち、このアンテナ装置では、グランド接続部が、給電点から最も離れた遠方位置に設けられているので、主偏波を垂直偏波とする場合、より強く垂直偏波の改善効果を得ることができる。
【００１５】
また、本発明のアンテナ装置では、前記グランド接続部が、前記境界の中間位置に設けられていることを特徴とする。すなわち、このアンテナ装置では、グランド接続部が、境界の中間位置に設けられているので、水平偏波及び垂直偏波の両偏波を必要とする場合、両偏波の高い改善効果を得ることができる。
【発明の効果】
【００１６】
本発明によれば、以下の効果を奏する。
本発明のアンテナ装置によれば、第１のグランド領域と第２のグランド領域とを局所的に電気的に接続するグランド接続部を備え、アンテナエレメントが、第１のグランド領域から立ち上がる立ち上げ部と、該立ち上げ部の上端部から第２のグランド領域の直上へ延びるエレメント部と、を備えているので、局所的な接続位置に応じてアンテナエレメント、第１のグランド領域及び第２のグランド領域に流れる高周波電流を調整可能で、アンテナ全体の偏波を改善することができる。すなわち、設置条件を変更した場合でも、上記接続位置とアンテナエレメントとの配置関係から、アンテナエレメントを変更することなく、偏波を改善し、高利得化及び小型化等を図ることができる。したがって、本発明のアンテナ装置は、自動車等に搭載される無線通信システム、特にキーレスオペレーションシステムに使用される受信アンテナ装置、送信アンテナ装置、送受信アンテナ装置のいずれかに好適である。
【図面の簡単な説明】
【００１７】
【図１】本発明に係るアンテナ装置の第１実施形態において、アンテナ装置を示す簡易的な平面図である。
【図２】第１実施形態において、アンテナ装置を示す簡易的な斜視図である。
【図３】第１実施形態において、アンテナ装置を示す等価回路的な説明図である。
【図４】第１実施形態において、グランド接続部を給電点の近傍位置に設けた場合の放射パターンを示すグラフである。
【図５】第１実施形態において、グランド接続部を給電点の遠方位置に設けた場合の放射パターンを示すグラフである。
【図６】第１実施形態において、グランド接続部を境界の中間位置に設けた場合の放射パターンを示すグラフである。
【図７】第１実施形態において、グランド接続部を給電点の近傍位置、遠方位置及び境界の中間位置の３箇所に設けた場合の放射パターンを示すグラフである。
【図８】第１実施形態において、グランド接続部の設置位置に対する水平偏波及び垂直偏波の最大利得を比較して示すグラフである。
【図９】本発明に係るアンテナ装置の第２実施形態において、アンテナ装置を示す簡易的な平面図である。
【発明を実施するための形態】
【００１８】
以下、本発明に係るアンテナ装置の第１実施形態を、図１から図８を参照しながら説明する。
【００１９】
本実施形態におけるアンテナ装置は、例えば自動車等に搭載される無線通信システム、特にキーレスオペレーションシステムに使用される受信アンテナ装置、送信アンテナ装置、送受信アンテナ装置とされるものであって、図１から図３に示すように、５０Ωの給電線（図示略）（無線回路の給電部）と電気的に接続される給電点１が設けられ銅箔等の導体で形成された第１のグランド領域５Ａと、該第１のグランド領域５Ａの外周の一部を除いて該外周に沿って銅箔等の導体で形成された第２のグランド領域５Ｂと、第１のグランド領域５Ａと第２のグランド領域５Ｂとの間の境界７と、給電点１に電気的に接続され第１のグランド領域５Ａ上に立設されたアンテナエレメント３と、第１のグランド領域５Ａと第２のグランド領域５Ｂとを局所的に電気的に接続するグランド接続部６と、を備えている。
【００２０】
また、このアンテナ装置は、第１のグランド領域５Ａと第２のグランド領域５Ｂとに分断されたグランドパターン５が設けられた基材２と、給電点１とアンテナエレメント３とに電気的に接続されて基材２上に設けられアンテナエレメント３と給電線とのリアクタンスを整合する整合回路部４と、を備えている。
【００２１】
すなわち、このアンテナ装置は、５０Ωの給電線（図示略）が電気的に接続される給電点１が設けられた基材２と、給電点１に電気的に接続され基材２上に立設されたアンテナエレメント３と、給電点１とアンテナエレメント３とに電気的に接続されて基材２上に設けられアンテナエレメント３と給電線とのリアクタンスを整合する整合回路部４と、基材２上に設けられたグランドパターン５と、を備えている。
【００２２】
なお、上記キーレスオペレーションシステムとは、キーレスオペレーションキーと呼ばれる無線通信機能を有するキーを運転者等が携帯しているだけで、無線作動範囲まで自動車に近づいた際に、キーと自動車本体側に設置された受信アンテナ装置との間でＩＤコードの照合を無線通信で行うことで、自動車のドア及びテールゲート等の施錠・解錠操作（いわゆるキーレスエントリーシステム）、エンジンの始動操作などが可能になるシステムである。
【００２３】
上記基材２は、例えば配線基板や回路基盤であって、上記整合回路部４を含む図示しない無線通信回路や電子制御ユニット（ＥＣＵ）等が上面や下面に形成されている。なお、アンテナエレメント３は、基材２の電子制御ユニットなどが搭載されている面と反対側に取り付けられていても構わない。
【００２４】
上記アンテナエレメント３は、アンテナ動作波長の１／４、あるいは、整数分の１の長さの銅線、銅被覆線、銅合金線（例えば、真鍮）アルミニウム線、アルミニウム被覆線、アルミニウム合金線などの導電性を有する材料で形成され、線の太さは所望する特性に応じて設定される。また、線材の形状は、断面形状が円形、矩形、多角形などを挙げることができる。曲げることを考慮して、断面が円形であるが好ましい。
また、アンテナエレメント３は、上記した導電性を有する材料（線材）の外周に絶縁層で被覆させたものでも良い。
【００２５】
このアンテナエレメント３は、第１のグランド領域５Ａから立ち上がる立ち上げ部３ａと、該立ち上げ部３ａの上端部から第２のグランド領域５Ｂの直上へ延びるエレメント部３ｂと、を備えている。
すなわち、このアンテナエレメント３は、基材２から立ち上がる立ち上げ部３ａと、該立ち上げ部３ａの上端部から折り曲げられ基材２に対する平行面内で任意方向へ延びるエレメント部３ｂと、を備えている。本実施形態のエレメント部３ｂは、立ち上げ部３ａの上端部から基材２に対する平行面内で一方向へ延びてから途中で屈曲又は湾曲して折り返し、前記一方向の逆方向に沿って延びた略コ字状に形成された開放エレメントである。
【００２６】
なお、エレメント部３ｂは、第１のグランド領域５Ａから第２のグランド領域５Ｂの直上へ向けて延ばした後、任意の方向に延ばしても構わないが、アンテナの形成し易さやアンテナ特性の安定性等の観点から、上述したように基材２に対する平行面内で任意方向に延びるように形成することが好ましい。
【００２７】
上記グランドパターン５は、上述したように、基材２上の分断線である境界７で第１のグランド領域５Ａと第２のグランド領域５Ｂとに分断されていると共にこれらグランド領域５Ａ，５Ｂを局所的に電気的に接続するグランド接続部６を備えている。本実施形態では、アナログ回路用の第１のグランド領域５Ａとデジタル回路用の第２のグランド領域５Ｂとに分かられている。このグランドパターン５では、第１のグランド領域５Ａの外周の一部（図１の上辺側及び右辺側）を除いて該外周に沿って第２のグランド領域５Ｂが配されている。すなわち、第２のグランド領域５Ｂは、第１のグランド領域５Ａの外周のうち少なくとも一部を開放して完全に囲まないように配置される。なお、グランドパターン５を複数箇所に分断する場合、各グランド領域５Ａ，５Ｂの面積をできるだけ大きく確保することが望ましい。
【００２８】
上記境界７は、グランド接続部６で局所的に電気的に接続された部分以外においてグランドパターン５を第１のグランド領域５Ａと第２のグランド領域５Ｂとに電気的に分断する線状又は帯状の非パターン部分である。
また、第１のグランド領域５Ａと第２のグランド領域５Ｂとは、基材２の形状に合わせて図１に示すような形状に境界７によって分けられているが、例えば第２のグランド領域５Ｂを境界７により矩形状等の他の形状に分断しても構わない。
【００２９】
上記境界７は、第１のグランド領域５Ａ及び第２のグランド領域５Ｂの上方からの平面視でエレメント部３ｂに対して交差している。特に、境界７は、少なくとも１箇所で第１のグランド領域５Ａ及び第２のグランド領域５Ｂの上方からの平面視でエレメント部３ｂに対して直交していると共に、給電点１の近傍でグランドパターン５を分断していることが好ましい。本実施形態では、境界７が略コ字状のエレメント部３ｂに対して２箇所で上記平面視において直交している。
【００３０】
上記整合回路部４は、給電点１とアンテナエレメント３との間に、複数のインダクタンスＬ又はコンデンサＣで構成されるπ型ＬＣ回路若しくはＴ型回路を一段又は複数段設けた回路構成とされている。この整合回路部４が、従来の逆Ｆ型アンテナにおける給電点からスタブまでの整合を取る部分に相当する機能を有する。
【００３１】
上記グランド接続部６は、必要とする偏波に応じて少なくとも１箇所設けられ、例えば、主偏波を水平偏波とする場合、給電点１の近傍位置６Ａに設けられ、また主偏波を垂直偏波とする場合、給電点１から最も離れた遠方位置６Ｂに設けられ、さらに水平偏波及び垂直偏波の両偏波を必要とする場合、境界７の中間位置６Ｃに設けられる。
なお、上記グランド接続部６の接続位置における近傍、遠方とは、境界７上でアンテナエレメント３に電気的に接続される給電点１からの距離をいう。
【００３２】
また、グランド接続部６には、一般的に使用される抵抗、コンデンサ、インダクタ等の受動素子が使用される。
なお、グランド接続部６として、可変抵抗、可変コンデンサ、可変インダクタ等を使用することで、フレキシブルな調整も可能になる。また、銅箔等のグランド接続部６を採用しても構わない。
【００３３】
次に、本実施形態のアンテナ装置について、実際の偏波及び指向性についてグランド接続部６の位置を変えて測定した結果を説明する。
【００３４】
まず、グランド接続部６を給電点１の近傍位置６Ａに設けた場合について、放射パターンを測定した結果を、図４に示す。この結果からわかるように、放射パターンとして水平偏波が主偏波となり、８の字の指向性で、最大利得で−１１．６３ｄＢｉと良好な結果となる。また、その際の垂直偏波は、最大利得が−２８．１３ｄＢｉと低い数値となっている。
【００３５】
また、グランド接続部６を給電点１の遠方位置６Ｂに設けた場合について、基材２に対する水平面の放射パターンを測定した結果を、図５に示す。この結果からわかるように、放射パターンとして垂直偏波が主偏波となり、上記近傍位置６Ａにグランド接続部６を設けた場合と比較して主偏波が変更される。なお、水平偏波は、８の字の指向性のままであるが、最大利得で−１９．２８ｄＢｉとなる。また、それに対して、主偏波である垂直偏波は、最大利得が−１５．０１ｄＢｉとなり、グランド接続部６を近傍位置６Ａに設けた場合に比べて１３ｄＢの高利得化されている。
【００３６】
また、グランド接続部６を境界７の中間位置６Ｃに設けた場合について、放射パターンを測定した結果を、図６に示す。この結果からわかるように、放射パターンとして垂直偏波、水平偏波共にほぼ同等であり、最大利得で−１７ｄＢｉの無指向性となる。
このように、同じアンテナエレメント３に対して、グランド領域５Ａ，５Ｂの接続位置のみを変更しただけで、垂直偏波、水平偏波或いは両方の偏波について利得を調整して偏波の改善が可能である。
【００３７】
なお、グランド接続部６を上記近傍位置６Ａ、上記遠方位置６Ｂ及び上記中間位置６Ｃの３箇所で全て接続した場合について、放射パターンを測定した結果を、図７に示す。この結果からわかるように、最大利得が得られる偏波、つまり図４に示す近傍位置６Ａで電気的に接続した場合に水平偏波が８の字の指向性で最大利得−１１．６３ｄＢｉであったことから、その状態に近い特性となる。ただし、図４の放射パターンと比較すると、垂直偏波についても改善し、最大利得で−２１．０２ｄＢｉと良好な結果となる。つまり、グランド領域５Ａ，５Ｂの接続位置（グランド接続部６の設置位置）の組合せにより、アンテナエレメント３及びグランドパターン５に流れる高周波電流（電流分布）が調整され、アンテナ全体の偏波を改善することができる。
【００３８】
また、定量的な検証として、最大利得での比較を、図８に示す。これは、上記図４から図６までの各放射パターンについて、水平／垂直の各偏波の最大利得を抜粋し、グランド接続部６の位置について比較した結果である。この結果からわかるように、水平偏波は、グランド接続部６の位置が給電点１の近傍から遠方にあるほど劣化し、垂直偏波は、グランド接続部６の位置が給電点１の近傍から遠方にあるほど改善している。つまり、グランド接続部６の位置は、主偏波を水平偏波にしたい場合は、給電点１の近傍位置６Ａに設け、また主偏波を垂直偏波にしたい場合には、給電点１の遠方位置６Ｂに設け、さらに両偏波を必要とする場合には、境界７の中間位置６Ｃに設けることで、偏波の改善を行うことができる。なお、図８は、基材２に対する水平面の放射パターンについて比較した結果であるが、他の面の放射パターンの場合では、図８の関係が逆転する場合もある。
【００３９】
このように本実施形態のアンテナ装置では、第１のグランド領域５Ａと第２のグランド領域５Ｂとを局所的に電気的に接続するグランド接続部６を備え、アンテナエレメント３が、第１のグランド領域５Ａから立ち上がる立ち上げ部３ａと、該立ち上げ部３ａの上端部から第２のグランド領域５Ｂの直上へ延びるエレメント部３ｂと、を備えているので、局所的な接続位置に応じてアンテナエレメント３及びグランドパターン５（第１のグランド領域５Ａ及び第２のグランド領域５Ｂ）に流れる高周波電流（電流分布）を調整可能で、アンテナ全体の偏波を改善することができる。つまり、複数に分断されたグランド領域５Ａ，５Ｂを設け、その接続位置とアンテナエレメント３との配置関係から、アンテナエレメント３を変更することなく、所望の偏波に対して特性を改善することが可能になる。
【００４０】
本来、基材２に設けられたグランドパターン５は、アンテナ利得向上の観点から、サイズを大きく、一体化されることが多い。そこで、本実施形態では、アンテナエレメント３に対して基材２のグランドパターン５を効率よく分断するための境界７を設け、アンテナエレメント３及びグランドパターン５に流れる高周波電流を調整するために、効率の良い接続方法にすることで、アンテナ全体の偏波を改善することができる。
【００４１】
また、境界７が、少なくとも１箇所で第１のグランド領域５Ａ及び第２のグランド領域５Ｂの上方からの平面視でエレメント部３ｂに対して直交しているので、最も効果的に電流分布の調整が可能になる。
さらに、境界７が、給電点１の近傍でグランドパターン５を分断しているので、より強く電流分布を調整することが可能になる。
【００４２】
また、グランド接続部６が、給電点１の近傍位置に設けられると、主偏波を水平偏波とする場合、より強く特性の改善効果を得ることができる。
また、グランド接続部６が、給電点１から最も離れた遠方位置に設けられると、主偏波を垂直偏波とする場合、より強く垂直偏波の改善効果を得ることができる。
また、グランド接続部６が、境界７の中間位置に設けられると、水平偏波及び垂直偏波の両偏波を必要とする場合、両偏波の高い改善効果を得ることができる。
【００４３】
次に、本発明に係るアンテナ装置の第２実施形態について、図９を参照して以下に説明する。なお、以下の実施形態の説明において、上記実施形態において説明した同一の構成要素には同一の符号を付し、その説明は省略する。
【００４４】
第２実施形態と第１実施形態との異なる点は、第１実施形態では、一つの基材２上に互いに境界７で分断された第１のグランド領域５Ａと第２のグランド領域５Ｂとを形成しているのに対し、第２実施形態のアンテナ装置では、図９に示すように、第１のグランド領域２５Ａが設けられた第１の基材２２Ａと、第２のグランド領域２５Ｂが設けられた第２の基材２２Ｂと、を備え、第１の基材２２Ａと第２の基材２２Ｂとが境界２７を挟んで設置されている点である。
【００４５】
この第２実施形態のアンテナ装置は、四角形状の第１の基材２２Ａと、該第１の基材２２Ａの外周のうち一辺側を除いて他の三辺に沿って配された凹形状の第２の基材２２Ｂと、を備えている。すなわち、第２実施形態のアンテナ装置は、第１の基材２２Ａ上に形成された四角形状の第１のグランド領域２５Ａと、該第１のグランド領域２５Ａの外周の一部を除いて該外周に沿って第２の基材２２Ｂ上に形成された凹形状の第２のグランド領域２５Ｂと、を備えている。
【００４６】
したがって、第１のグランド領域２５Ａと第２のグランド領域２５Ｂとを分断する境界２７は、基材上の分断線ではなく、第１の基材２２Ａと第２の基材２２Ｂとの間の隙間領域である。
このように、第２実施形態では、第１の基材２２Ａと第２の基材２２Ｂとが境界２７を挟んで設置されているので、第１のグランド領域２５Ａと第２のグランド領域２５Ｂとを別々の基材に設けることで一方を容易に別の形状のものと交換して設置することが可能になる。例えば、一方を汎用の基材とし、他方を取り換え用の基材とすることで、多様な形態を容易に採用することが可能になる。
【００４７】
なお、本発明は上記各実施形態に限定されるものではなく、本発明の趣旨を逸脱しない範囲において種々の変更を加えることができる。
【００４８】
例えば、上記第１実施形態では、基材２の表面にグランドパターン５を形成しているが、実際の無線回路の設計時には基材として多層基板を採用する場合がある。この場合、グランドパターン５は内層パターン等、どの層に設計しても構わない。なお、理想的には、グランドパターン５は、基板の表面の部品面若しくは半田面に設計されることが好ましい。
また、銅線等による導体線でアンテナエレメント３を形成したが、他の導体物で形成しても構わない。例えば、板金を打ち抜いて帯状（断面形状が矩形）に形成したアンテナエレメントを構成しても良い。
【符号の説明】
【００４９】
１…給電点、２，２２Ａ，２２Ｂ…基材、３…アンテナエレメント、３ａ…立ち上げ部、３ｂ…エレメント部、５…グランドパターン、５Ａ，２５Ａ…第１のグランド領域、５Ｂ，２５Ｂ…第２のグランド領域、６…グランド接続部、６Ａ…近傍位置、６Ｂ…遠方位置、６Ｃ…中間位置、７，２７…境界
【図１】
0005451169.tif 000002
【図２】
0005451169.tif 000003
【図３】
0005451169.tif 000004
【図９】
0005451169.tif 000005
【図４】
0005451169.tif 000006
【図５】
0005451169.tif 000007
【図６】
0005451169.tif 000008
【図７】
0005451169.tif 000009
【図８】
0005451169.tif 000010